(57)【要約】【課題】遊技機の情報と遊技者の個人情報とを関連付けて把握することができる遊技場管理システムを提供することである。【解決手段】  遊技機であるパチンコ遊技機２とパチスロ遊技機３に対応するようにして設けられ、遊技者の個人情報または個人情報の識別番号である個人ＩＤが記録された記録媒体である会員カードから個人情報または個人ＩＤを取得可能な端末である玉貸機４と、各遊技機の稼動情報および玉貸機４が取得した遊技者の個人情報または個人ＩＤを取得可能な管理装置である遊技場管理コンピュータ７を具備する遊技場管理システム１において、各遊技機の配置を表示装置７ｇに表示するとともに玉貸機４が取得した個人情報または個人ＩＤと遊技機の稼動情報と対応する遊技機の表示とを関連するようにして表示し、所定時間毎に個人情報と遊技機の稼動情報との取得および表示を行う。【選択図】図３
2015107270.tif 000002
【特許請求の範囲】
【請求項１】
遊技機毎に対応するようにして設けられ、遊技者の個人情報または個人情報の識別番号が記録された記録媒体から個人情報または個人情報の識別番号を取得可能な端末と、各遊技機の稼動情報および端末が取得した遊技者の個人情報または個人情報の識別番号を取得可能な管理装置を具備する遊技場管理システムにおいて、
各遊技機の配置を表示装置に表示するとともに端末が取得した個人情報または個人情報の識別番号に基づいて取得した個人情報と遊技機の稼動情報と対応する遊技機の表示とを関連するようにして表示し、所定時間毎に個人情報と遊技機の稼動情報との取得および表示を行う遊技場管理システム。
【請求項２】
前記遊技機の遊技者が登録されている遊技者か否かを対応する遊技機の表示と関連するようにして表示し、登録されている遊技者の所定の項目について選択的に表示する請求項１に記載の遊技場管理システム。
【請求項３】
登録されていない遊技者と登録されている遊技者とに分けて、遊技機の種類別に稼動状態を表示する請求項１または請求項２に記載の遊技場管理システム。
【請求項４】
登録されている遊技者の所定の項目に基づいて遊技機の種類別に稼動状態を表示する請求項１から請求項３のいずれか一項に記載の遊技場管理システム。
【発明の詳細な説明】
【技術分野】
【０００１】
本発明は、遊技場管理システムに関する。
【背景技術】
【０００２】
従来、遊技場管理システムにおいて、様々な遊技機の機種の増加や遊技場の営業形態の多様化に対応するために、遊技機毎にその稼動状態を取得して遊技場運営の基礎となる詳細な管理情報が構築されている。遊技場管理システムは、遊技機毎に、「稼動」、「非稼動」、「特別遊技状態」等の遊技状態を把握するだけでなく、遊技機の時々刻々の稼動情報を時系列で記録および表示することができるように構成されている。例えば特許文献１の如くである。
【０００３】
また、遊技場において、所定の記録媒体（例えば、磁気カードやＩＣカード）を使用して遊技者が遊技媒体を管理することができるように構成されているものがある。記録媒体は、予め登録されている遊技者の個人情報と遊技媒体の情報とを関連付けて記憶させることで遊技媒体の管理を容易にする。すなわち、記録媒体は、遊技者の利便性を向上させることにより遊技者の来店率を向上させることを目的としている。
【０００４】
しかし、特許文献１に記載の技術では、遊技機の種類毎や時系列で遊技機の稼動情報を取得することはできるが、遊技機毎にどのような遊技者が遊技しているか取得することができない。このため、遊技場内の遊技機と遊技者との情報を関連付けて把握できず、遊技者の個人情報が遊技場の管理情報に反映されていなかった。
【先行技術文献】
【特許文献】
【０００５】
【特許文献１】特開２０１０−４９２７号公報
【発明の概要】
【発明が解決しようとする課題】
【０００６】
本発明の目的は、遊技機の情報と遊技者の個人情報とを関連付けて把握することができる遊技場管理システムを提供することである。
【課題を解決するための手段】
【０００７】
本発明の解決しようとする課題は以上の如くであり、次にこの課題を解決するための手段を説明する。
【０００８】
即ち、本発明は、遊技機毎に対応するようにして設けられ、遊技者の個人情報または個人情報の識別番号が記録された記録媒体から個人情報または個人情報の識別番号を取得可能な端末と、各遊技機の稼動情報および端末が取得した遊技者の個人情報または個人情報の識別番号を取得可能な管理装置を具備する遊技場管理システムにおいて、
各遊技機の配置を表示装置に表示するとともに端末が取得した個人情報または個人情報の識別番号に基づいて取得した個人情報と遊技機の稼動情報と対応する遊技機の表示とを関連するようにして表示し、所定時間毎に個人情報と遊技機の稼動情報との取得および表示を行うものである。
【０００９】
本発明は、前記遊技機の遊技者が登録されている遊技者か否かを対応する遊技機の表示と関連するようにして表示し、登録されている遊技者の所定の項目について選択的に表示するものである。
【００１０】
本発明は、登録されていない遊技者と登録されている遊技者とに分けて、遊技機の種類別に稼動状態を表示するものである。
【００１１】
本発明は、登録されている遊技者の所定の項目に基づいて遊技機の種類別に稼動状態を表示するものである。
【発明の効果】
【００１２】
本発明の効果として、以下に示すような効果を奏する。
【００１３】
本発明においては、遊技場内における遊技機の稼動情報と遊技者の個人情報とが一体的に表示される。これにより、遊技機毎に遊技者の個人情報を把握することができる。
【００１４】
本発明においては、遊技場内における遊技機の稼動情報と遊技者の個人情報のうち任意の情報とが一体的に表示される。これにより、遊技機毎に遊技者の個人情報を把握することができる。
【００１５】
本発明においては、遊技者の個人情報に基づいて遊技機の稼動状態についての集計情報を表示することができる。これにより、遊技条件毎に遊技者の個人情報に基づいて全体の稼動状態を把握することができる。
【図面の簡単な説明】
【００１６】
【図１】本発明の一実施形態に係る遊技場管理システムの全体構成を示す概略図。
【図２】本発明の一実施形態に係る遊技場管理システムの情報の経路を示す概念図。
【図３】本発明の一実施形態に係る遊技場管理システムの表示装置において、会員の別を表示した状態を示す図。
【図４】本発明の一実施形態に係る遊技場管理システムの表示装置において、会員の貯玉を表示した状態を示す図。
【図５】本発明の別実施形態に係る遊技場管理システムの表示装置において、会員の性別と年齢とを表示した状態を示す図。
【図６】本発明の別実施形態に係る遊技場管理システムの表示装置において、遊技条件別の集計情報を表示した状態を示す図。
【発明を実施するための形態】
【００１７】
まず、図１と図２とを用いて、本発明に係る遊技場管理システムの一実施形態である遊技場管理システム１について説明する。なお、本実施形態において、遊技場管理システム１によって管理される遊技機をパチンコ遊技機２とパチスロ遊技機３とするが、図１と図２とに関してパチンコ遊技機２について説明する。
【００１８】
図１に示すように、遊技場管理システム１は、遊技場に設置されている遊技機の稼動情報と遊技者の個人情報とを取得し、管理するものである。遊技場管理システム１は、複数の遊技機であるパチンコ遊技機２、複数の遊技機であるパチスロ遊技機３、複数の遊技媒体の貸機である玉（メダル）貸機４、島内コンピュータ５、カード情報管理コンピュータ６および遊技場管理コンピュータ７を具備している。
【００１９】
遊技機であるパチンコ遊技機２は、遊技者が遊技媒体であるパチンコ玉を発射し、特定の入賞口に投入することで一定数のパチンコ玉の払い出しが行われる遊技機である。パチンコ遊技機２は、複数の機台をまとめた、いわゆる「島」を構成して遊技場内に配置されている。パチンコ遊技機２は、内部に設けられる遊技機コンピュータ２ｇ（パチスロ遊技機においては遊技機コンピュータ３ｇ）によって制御され、各種の稼動情報を取得することができる。パチンコ遊技機２は、個別の遊技機番号（本実施形態において、島Ａにおける遊技機番号１・遊技機番号２・遊技機番号３・・遊技機番号１４、島Ｂにおける遊技機番号１５、遊技機番号１６・・・遊技機番号２８、島Ｃにおける遊技機番号２９・・遊技機番号４２）（図３参照）が割り振られ、パチンコ遊技機２を識別することができるように構成されている。
【００２０】
遊技媒体の貸機である玉貸機４は、磁気カードやＩＣカードの情報を読み取ってパチンコ玉を貯玉や設定金額の範囲内で返却する端末である。玉貸機４は、パチンコ遊技機２にそれぞれ設置されている。すなわち、玉貸機４は、対応するパチンコ遊技機２が定められ、そのパチンコ遊技機２毎に設けられている。玉貸機４は、登録されている遊技者（以下、単に「会員」と示す）の情報が記録された記録媒体である会員カードの情報を読み取るための読取装置４ｇ、各種操作や暗証番号等の入力を行う操作装置４ｈおよび会員カードの貯玉情報や一般カード（プリペイドカード）の課金金額情報に基づいてパチンコ玉を払い出す玉貸装置４ｉ等を具備する。玉貸機４は、個別の玉貸機番号が割り振られ、玉貸機４を識別することができるように構成されている。
【００２１】
玉貸機４は、読取装置４ｇによって会員カードまたは一般カードの情報を読み取る。具体的には、玉貸機４は、操作装置４ｈからの暗証番号の入力確認後に、読取装置４ｇを介して会員カードに記録されている個人情報の識別番号である個人ＩＤまたは一般カードの課金金額情報を取得することができる。また、玉貸機４は、会員カードから取得した個人ＩＤまたは一般カードから取得した課金金額情報に基づいて、玉貸装置４ｉによってパチンコ玉を払い出すことができる。
【００２２】
なお、本実施形態において、会員カードには個人ＩＤが記録されているものとしたがこれに限定されるものではない。例えば、会員カードは、会員カードの所有者である会員の会員名、性別、年齢、居住区域（市町村）および貯玉数に加え、来店時間、滞在時間、総滞在時間、来店回数、前回来店日時、来店ポイント等の個人情報を記録する構成としてもよい。また、一般カードには課金金額情報が記録されているものとしたがこれに限定されるものではなく、課金ＩＤを記録する構成としてもよい。
【００２３】
島内コンピュータ５は、島を構成するパチンコ遊技機２の稼動情報を収集、保持するものである。島内コンピュータ５は、実体的には、ＣＰＵ、ＲＯＭ、ＲＡＭ、ＨＤＤ等がバスで接続される構成であってもよく、あるいはワンチップのＬＳＩ等からなる構成であってもよい。島内コンピュータ５は、遊技場内の各島にそれぞれ設置されている。なお、本実施例において、各島に島内コンピュータ５をそれぞれ配置する構成としたがこれに限定されるものではなく、複数の島を一台の島内コンピュータ５で管理する構成としてもよい。
【００２４】
島内コンピュータ５は、遊技場内に構築されたネットワークシステム等を介して島を構成する複数のパチンコ遊技機２の遊技機コンピュータ２ｇ（３ｇ）に接続されている。また、島内コンピュータ５は、島を構成する各パチンコ遊技機２の遊技機コンピュータ２ｇが取得した稼動情報を所定時間毎に収集、保持することができる。
【００２５】
カード情報管理コンピュータ６は、会員カードまたは一般カードの情報を取得および管理するものである。カード情報管理コンピュータ６は、パーソナルコンピュータ等の汎用コンピュータ等から構成される。カード情報管理コンピュータ６は、実体的には、ＣＰＵ、ＲＯＭ、ＲＡＭ、ＨＤＤ等がバスで接続される構成であってもよく、あるいはワンチップのＬＳＩ等からなる構成であってもよい。
【００２６】
カード情報管理コンピュータ６は、遊技場内に構築されたネットワークシステム等を介して遊技場内の複数の玉貸機４に接続されている。また、カード情報管理コンピュータ６は、複数の玉貸機４の玉貸機番号、読取装置４ｇが会員カードから読み取った会員の個人ＩＤまたは一般カードから読み取った課金金額情報を取得することができる。また、カード情報管理コンピュータ６は、会員の個人ＩＤに関連付けされて、会員の会員名、性別、年齢、居住区域（市町村）および貯玉数が記録されているとともに、来店時間、滞在時間、総滞在時間、来店回数、前回来店日時、来店ポイント等の個人情報が記録される。また、一般カードに課金ＩＤが記録されている場合は、課金ＩＤに関連付けされた課金金額情報が記録されている。
【００２７】
カード情報管理コンピュータ６は、会員の個人ＩＤと会員の個人情報とを関連付ける組合せ情報が予め記録されている。また、一般カードに課金ＩＤが記録されている場合、カード情報管理コンピュータ６は、課金ＩＤと課金金額情報とを関連付ける組合せ情報が予め記録されている。カード情報管理コンピュータ６は、玉貸機４から会員の個人ＩＤまたは一般カードの課金金額情報、これらの情報を読み取った玉貸機４の玉貸機番号を取得するためのプログラムが格納されている。
【００２８】
管理装置である遊技場管理コンピュータ７は、パチンコ遊技機２の稼動情報を管理するものである。遊技場管理コンピュータ７は、汎用コンピュータ等から構成される。遊技場管理コンピュータ７は、実体的には、ＣＰＵ、ＲＯＭ、ＲＡＭ、ＨＤＤ等がバスで接続される構成であってもよく、あるいはワンチップのＬＳＩ等からなる構成であってもよい。遊技場管理コンピュータ７は、取得した情報を表示する表示装置７ｇを具備している。なお、本実施形態において、カード情報管理コンピュータ６と遊技場管理コンピュータ７とは、独立して構成されているがこれに限定するものではない。
【００２９】
遊技場管理コンピュータ７は、各パチンコ遊技機２の遊技場における位置情報と遊技機番号、遊技媒体であるパチンコ玉の単価および玉貸機４の玉貸機番号が予め記録されている。また、遊技場管理コンピュータ７は、各パチンコ遊技機２の位置情報と各パチンコ遊技機２の遊技機番号と玉貸機４の玉貸機番号とを関連付ける組合せ情報が予め記録されている。また、遊技場管理コンピュータ７は、取得した情報を表示装置７ｇに表示するためのプログラムが格納されている。
【００３０】
遊技場管理コンピュータ７は、複数の島内コンピュータ５とカード情報管理コンピュータ６とからの情報を取得して処理するために種々のプログラムが格納されている。具体的には、遊技場管理コンピュータ７は、複数の島内コンピュータ５から各パチンコ遊技機２の遊技機番号と稼動情報とを所定時間毎に取得するためのプログラムが格納されている。また、遊技場管理コンピュータ７は、カード情報管理コンピュータ６から会員の個人情報または一般カードの課金金額情報、これらの情報を読み取った玉貸機４の玉貸機番号を取得するためのプログラムが格納されている。
【００３１】
遊技場管理コンピュータ７は、遊技場内に構築されたネットワークシステム等を介して複数の島内コンピュータ５に接続され、各島内コンピュータ５が取得したパチンコ遊技機２の遊技機番号、パチンコ遊技機２の稼動情報を所定時間毎に取得することができる。
【００３２】
遊技場管理コンピュータ７は、カード情報管理コンピュータ６に接続され、カード情報管理コンピュータ６から会員の個人情報または一般カードの課金金額情報、これらの情報を読み取った玉貸機４の玉貸機番号を取得することができる。
【００３３】
遊技場管理コンピュータ７は、取得した各パチンコ遊技機２の遊技機番号と各玉貸機４の玉貸機番号とに基づいてパチンコ遊技機２の稼動情報と対応する玉貸機４の読取装置４ｇが読み取った会員の個人ＩＤに基づいた個人情報または一般カードの課金金額情報とを関連付けて表示装置７ｇに表示することができる。
【００３４】
以下では、図２を用いて、本発明に係る遊技場管理システム１の一実施形態における各種情報の流れについて具体的に説明する。
【００３５】
図２に示すように、遊技場管理システム１は、ステップＳ１１０において各遊技機コンピュータ２ｇ（３ｇ）がパチンコ遊技機２（パチスロ遊技機３）の稼動情報と遊技機番号とを取得し、ステップをステップＳ１２０に移行する。
【００３６】
ステップＳ１２０において、遊技場管理システム１は、各島内コンピュータ５が島内の各遊技機コンピュータ２ｇからパチンコ遊技機２の稼動情報と遊技機番号とを取得し、ステップをステップＳ１３０に移行する。
【００３７】
ステップＳ２１０において、遊技場管理システム１は、各玉貸機４の読取装置４ｇが会員カードの個人ＩＤと一般カードの課金金額情報とを取得し、ステップをステップＳ２２０に移行する。
【００３８】
ステップＳ２２０において、遊技場管理システム１は、カード情報管理コンピュータ６が各玉貸機４の読取装置４ｇから会員カードの個人ＩＤと一般カードの課金金額情報とを取得し、ステップをステップＳ１３０に移行する。
【００３９】
ステップＳ１３０において、遊技場管理システム１は、遊技場管理コンピュータ７が各島内コンピュータ５から島内の各パチンコ遊技機２と各パチスロ遊技機３との稼動情報と遊技機番号とを取得する。また、遊技場管理システム１は、遊技場管理コンピュータ７がカード情報管理コンピュータ６から会員カードの個人情報と一般カードの課金金額情報とを取得し、ステップをステップＳ１４０に移行する。
【００４０】
ステップＳ１４０において、遊技場管理システム１は、遊技場管理コンピュータ７が各玉貸機４の読取装置４ｇが取得した情報に基づいて、表示装置７ｇに表示すべき情報を送信する。
【００４１】
なお、本実施形態において、遊技場管理システム１の構成、および情報の流れはこれに限定するものではなく、遊技場管理コンピュータ７が各パチンコ遊技機２、各パチスロ遊技機３および会員カード等から所定の情報を取得できる構成であればよい。
【００４２】
以下では、図３から図６を用いて、本発明に係る遊技場管理システム１の一実施形態における遊技場管理コンピュータ７の表示態様について具体的に説明する。なお、本実施形態において、遊技場管理システム１が管理する遊技機は、パチンコ遊技機２とパチスロ遊技機３とから構成されているものとする。なお、本実施形態において、遊技場管理システム１が管理する遊技機は、パチンコ遊技機２とパチスロ遊技機３とから構成されているものとしたがこれに限定されるものではない。例えば、パチンコ遊技機２またはパチスロ遊技機３のみから構成されていてもよい。
【００４３】
図３に示すように、遊技場管理コンピュータ７は、遊技場に設置されている全てのパチンコ遊技機２とパチスロ遊技機３との配置を所定の表示態様で表示装置７ｇに表示する。具体的には、遊技場管理コンピュータ７は、表示装置７ｇに一のパチンコ遊技機２またはパチスロ遊技機３を示す矩形状の枠によって実際の遊技場におけるパチンコ遊技機２とパチスロ遊技機３とに対応する配置図Ｘを表示する。
【００４４】
本実施形態において、遊技場管理コンピュータ７は、遊技場に設置されている複数のパチンコ遊技機２から構成される島Ａ、島Ｂ、島Ｃ、および複数のパチスロ遊技機３から構成される島Ｄ、島Ｅ、島Ｆを矩形状の枠が集合した態様で表した配置図Ｘとして表示装置７ｇに表示する。
【００４５】
この際、遊技場管理コンピュータ７は、表示装置７ｇに表示している配置図Ｘにおいて、各パチンコ遊技機２と各パチスロ遊技機３との位置に対応している枠にその遊技機番号等を所定の態様で表示する。本実施形態において、遊技場管理コンピュータ７は、各パチンコ遊技機２と各パチスロ遊技機３との遊技機番号を対応している枠の近傍に表示している。
【００４６】
次に、遊技場管理コンピュータ７は、各島内コンピュータ５が取得したパチンコ遊技機２の遊技機番号、パチンコ遊技機２の稼動情報を所定時間毎に取得する（図２参照）。同時に、遊技場管理コンピュータ７は、カード情報管理コンピュータ６から会員の個人情報または一般カードの課金金額情報、これらの情報を読み取った玉貸機４の玉貸機番号を所定時間毎に取得する（図２参照）。
【００４７】
次に、遊技場管理コンピュータ７は、各パチンコ遊技機２の位置情報と各パチンコ遊技機２の遊技機番号と対応する玉貸機４の玉貸機番号とを関連付ける組合せ情報に基づいて、稼動しているパチンコ遊技機２とパチスロ遊技機３との位置およびこれらに対応する会員の個人情報または一般カードの課金金額情報を特定する。
【００４８】
次に、遊技場管理コンピュータ７は、表示装置７ｇに表示している配置図Ｘにおいて、特定したパチンコ遊技機２とパチスロ遊技機３との位置に対応している枠を稼動情報に応じた所定の態様で表示する。具体的には、遊技場管理コンピュータ７は、通常の稼動状態であるパチンコ遊技機２またはパチスロ遊技機３に対応する枠内を所定の色で表示する。さらに、遊技場管理コンピュータ７は、特別の稼動状態である「特賞」または「確変」等の状態であるパチンコ遊技機２に対応する枠内を、通常の稼動状態の色と異なる所定の色で表示する。また、遊技場管理コンピュータ７は、特別の稼動状態である「ビッグボーナス」または「レギュラーボーナス」等の状態であるパチスロ遊技機３に対応する枠内を、通常の稼動状態の色と異なる所定の色で表示する。
【００４９】
本実施形態において、遊技場管理コンピュータ７は、島Ａにおいて、通常の稼動状態であるパチンコ遊技機２の遊技機番号１から遊技機番号３、遊技機番号６から遊技機番号９、遊技機番号１３および遊技機番号１４に対応している枠内を所定の色（薄い網掛け）で表示し、特別の稼動状態であるパチンコ遊技機２の遊技機番号１１に対応している枠内を所定の色（濃い網掛け）で表示している。同様に、島Ｂから島Ｆにおいて、遊技場管理コンピュータ７は、通常の稼動状態または特別の稼動状態であるパチンコ遊技機２またはパチスロ遊技機３の遊技機番号に対応している枠内を所定の色で表示している。なお、本実施形態において、遊技場管理コンピュータ７は、稼動状態を特定の色で表示しているがこれに限定するものではない。
【００５０】
合わせて、遊技場管理コンピュータ７は、表示装置７ｇに表示している配置図Ｘにおいて、特定したパチンコ遊技機２とパチスロ遊技機３との位置に対応している枠を会員であるか否かの別を示す所定の態様で表示する。すなわち、遊技場管理コンピュータ７は、稼動しているパチンコ遊技機２毎に、またはパチスロ遊技機３毎にその遊技者が会員か否かの別を示す所定の態様で表示する。
【００５１】
本実施形態において、遊技場管理コンピュータ７は、遊技者が会員であるパチンコ遊技機２またはパチスロ遊技機３に対応する枠内に所定の図形（○印）を表示し、遊技者が非会員であるパチンコ遊技機２またはパチスロ遊技機３に対応する枠内に所定の図形（△印）を表示する。なお、本実施形態において、遊技場管理コンピュータ７は、会員か否かを図形によって表示しているがこれに限定するものではない。例えば、遊技者が会員であるパチンコ遊技機２に対応している枠内を所定の色で表示してもよい。
【００５２】
また、遊技場管理コンピュータ７は、表示装置７ｇに表示されている配置図Ｘと重ならない位置に、数値情報を表示する表Ｙを表示する。遊技場管理コンピュータ７は、表Ｙにパチンコ遊技機２とパチスロ遊技機３とに関する各種の集計情報を表示する。具体的には、遊技場管理コンピュータ７は、表Ｙにおいて、遊技場に設置されているパチンコ遊技機２とパチスロ遊技機３とのうち会員によって遊技されている機台数と非会員（一般カードを使用している遊技者）によって遊技されている機台数とを表示する。
【００５３】
本実施形態において、遊技場管理コンピュータ７は、パチンコ遊技機２とパチスロ遊技機３との各遊技機の全機台数、およびそれぞれの遊技者のうち会員が遊技者である機台数と非会員が遊技者である機台数とを表Ｙに表示する。なお、本実施形態において、遊技場管理コンピュータ７は、機台数によって集計情報を表示しているがこれに限定するものではない。
【００５４】
さらに、遊技場管理コンピュータ７は、表示装置７ｇに表示している配置図Ｘにおいて、カード情報管理コンピュータ６から取得した会員の性別、年齢、居住区域（市町村）、貯玉数、来店時間、滞在時間（総滞在時間）、来店回数、前回来店日時、来店ポイント等の個人情報のうち、選択画面Ｚで任意に選択された一つの項目に関する情報について所定の態様で表示する。
【００５５】
図４に示すように、本実施形態において、遊技場管理コンピュータ７は、選択画面Ｚにおいて貯玉数が選択された場合、対応する枠内に貯玉数を表示する。同様にして、遊技場管理コンピュータ７は、年齢、性別、貯玉、来店時間、滞在時間（総滞在時間）、来店回数、来店ポイント等を表示する場合、対応する枠内または枠を指示するようにして表示すべき数値情報または／および数値情報に応じた色や図形を表示する。例えば、貯玉数を表示する場合、１００００玉単位で枠内の色を変えて表示するようにしてもよい。
【００５６】
ここで、本発明に係る遊技場管理システム１の別実施形態として、遊技場管理コンピュータ７は、表示装置７ｇに表示している配置図Ｘにカード情報管理コンピュータ６から取得した会員の個人情報のうち、選択画面Ｚにおいて任意に選択された複数の項目に関する情報について所定の態様で表示する構成でもよい。
【００５７】
図５に示すように、本発明に係る遊技場管理システム１の別実施形態において、遊技場管理コンピュータ７は、選択画面Ｚにおいて会員の性別と年齢とが選択された場合、男性会員が遊技者であるパチンコ遊技機２またはパチスロ遊技機３に対応する枠内を所定の色（濃い網掛け）で表示し、女性会員が遊技者であるパチンコ遊技機２またはパチスロ遊技機３に対応する枠内を所定の色（薄い網掛け）で表示する。さらに、遊技場管理コンピュータ７は、会員の年齢を対応する枠内に表示する。なお、本実施形態において、遊技場管理コンピュータ７は、性別を特定の色で表示し、年齢を枠内に数値で表示しているがこれに限定するものではない。
【００５８】
合わせて、遊技場管理コンピュータ７は、表Ｙにおいて、パチンコ遊技機２とパチスロ遊技機３との各遊技機の全機台数、およびそれぞれの遊技者のうち男性会員が遊技者である機台数と女性会員が遊技者である機台数とを年代別に分けて表示する。なお、本実施形態において、遊技場管理コンピュータ７は、機台数によって集計情報を表示しているがこれに限定するものではない。
【００５９】
また、本発明に係る遊技場管理システム１の別実施形態として、遊技場管理コンピュータ７は、パチンコ遊技機２とパチスロ遊技機３との稼働率を遊技条件別に所定の表示態様で表示する構成でもよい。具体的には、遊技場管理コンピュータ７は、配置図Ｘにおいて、遊技条件が異なるパチンコ遊技機２とパチスロ遊技機３とを識別可能な所定の態様で表示する。合わせて、遊技場管理コンピュータ７は、表Ｙにおいて、パチンコ遊技機２とパチスロ遊技機３とについて会員によって遊技されている機台数と非会員によって遊技されている機台数とを遊技条件別に数値によって表示する。
【００６０】
図６に示すように、本発明に係る遊技場管理システム１の別実施形態において、遊技場管理コンピュータ７は、配置図Ｘにおいて、遊技媒体の単価が低く設定されている遊技条件（低貸）のパチンコ遊技機２の島Ａとパチスロ遊技機３の島Ｄを破線枠で表示する。合わせて、遊技場管理コンピュータ７は、表Ｙにおいて、パチンコ遊技機２とパチスロ遊技機３との各遊技機の全機台数、およびそれぞれの遊技者のうち会員が遊技者である機台数と非会員が遊技者である機台数とを遊技条件別に分けて表示する。
【００６１】
このように構成することで、遊技場管理システム１は、所定時間毎に各パチンコ遊技機２と各パチスロ遊技機３との稼動情報等と会員の個人情報等とを取得し、配置図Ｘ上の対応する枠に表示する。すなわち、遊技場管理システム１は、遊技場内における遊技機である各パチンコ遊技機２と各パチスロ遊技機３との稼動情報と遊技者である会員等の個人情報のうち任意の情報とが一体的に表示される。これにより、パチンコ遊技機２および各パチスロ遊技機３毎に会員等の個人情報を把握することができる。
【００６２】
また、遊技場管理システム１は、パチンコ遊技機２とパチスロ遊技機３との稼動状態を会員と非会員とに分けて所定の表示態様で表示する。すなわち、会員等の個人情報に基づいてパチンコ遊技機２とパチスロ遊技機３との稼動率を表示することができる。これにより、パチンコ遊技機２および各パチスロ遊技機３毎に会員等の個人情報を把握することができる。
【００６３】
また、遊技場管理システム１は、遊技者の個人情報に基づいてパチンコ遊技機２とパチスロ遊技機３とのの稼動状態についての集計情報を表示することができる。これにより、遊技条件毎に遊技者の個人情報に基づいて全体の稼動状態を把握することができる。
【符号の説明】
【００６４】
１    遊技場管理システム
２    パチンコ遊技機
３    パチスロ遊技機
４    玉貸機
７ｇ  表示装置
【図１】
2015107270.tif 000003
【図２】
2015107270.tif 000004
【図３】
2015107270.tif 000005
【図４】
2015107270.tif 000006
【図５】
2015107270.tif 000007
【図６】
2015107270.tif 000008